(57)【特許請求の範囲】
【請求項１】
便器の上に固定される取付部材と、
便器の上に載置される温水洗浄器本体と、
前記取付部材と温水洗浄器本体とを係合し、係止可能とする係止手段と、
前記取付部材と温水洗浄器本体との系止を解除する系止解除部材を備えた温水洗浄便座において、
前記係止解除部材が前記温水洗浄器本体に取り付けられ、この係止解除部材の動作方向が、前記取付部材と温水洗浄器本体との係合あるいは係止を解除するのに必要な温水洗浄器本体の移動方向と概ね同じ方向であり、
前記温水洗浄器本体と取付部材とを連結した連結部材であるスライダが、前記温水洗浄器本体と取付部材のそれぞれに対して、便器の前後方向に摺動可能に配置され、かつ、係合し、
前記スライダーと温水洗浄器本体、及び、前記スライダーと取付部材との間には、抜け止め部が設けられたことを特徴とする温水洗浄便座。
【請求項２】
請求項１において、
スライダは、係合あるいは係止状態となる間、その前後部分が温水洗浄器本体に収納されるように便器後方へ移動し、
係合あるいは係止状態で、前記温水洗浄器本体とスライダと取付部材は重なった状態となることを特徴とする温水洗浄便座。
【発明の詳細な説明】
【０００１】
【発明の属する技術分野】
この発明は、温水洗浄便座に関する。
【０００２】
【従来の技術】
従来、温水洗浄便座は本体を固定ボルトとナットあるいはネジを使用して便器の上面に固定していたため、本体を簡単に着脱することができなかった。このため、本体と便器との間の清掃が容易にできなかった。
【０００３】
そこで、近年では、本体が便器と容易に着脱可能としたものや、本体が便器に載置した状態から移動可能とした温水洗浄便座が開発されている。
【０００４】
図７は本体が着脱可能な従来の温水洗浄便座の本体と取付ベースを示す平面図である。
【０００５】
図７において、便器８後部上面に取付ベース２が２本の固定ボルト６、６によって取付けられている。取付ベース２には、便器８の前後方向と略垂直である方向（左右方向）に動作可能であるロックレバー９が取付けられている。また、このロックレバー９は引っ張りスプリング１０により右方向に付勢されている。また、温水洗浄器本体１は上記取付ベース２と着脱可能な構造を備えている。この温水洗浄器本体１を図７の状態から便器後方へ移動させていくと、温水洗浄器本体１と取付ベース２の図示していない係合部が係合する。さらに押し込むと、温水洗浄器本体１に設けられた突起部１１及び１２がロックレバー９の係合部９１及び９２に作用しロックレバー９が左方向へ移動する。そして、この突起部１１とロックレバーの係合部９１及び突起部１２とロックレバーの係合部９２が係合完了すると、ロックレバー９が引っ張りスプリング１０により右方向に移動し温水洗浄器本体１と取付ベース２はロック状態となる。
【０００６】
反対に、このロック状態を解除し取付ベース２から温水洗浄器本体１を取り外すには、まず、ロックレバー９を引っ張りスプリング１０の付勢方向とは反対の左方向（図示矢印方向）に押して上記ロック状態を解除する。次に、ロックレバー９を押した状態のまま、温水洗浄器本体１の突起部１１とロックレバー９の係合部９１及び突起部１２と係合部９２の係合が外れる位置まで温水洗浄器本体１を手前方向に引く。これでロック状態が解除され、さらに温水洗浄器本体１を手前方向に引くと温水洗浄器本体１は取付ベース２から取り外し可能となる。
【０００７】
【発明が解決しようとする課題】
従来の構成では、ロックレバー９を押す方向と温水洗浄器本体１を引く方向が異なり、上記ロック状態を解除するあるいは、温水洗浄器本体１を取り外すには方向の異なる二つの作業を同時に行わなければならず、作業が難しく，ロックレバー９の操作性が悪いという問題点があった。
【０００８】
本発明は、このような事情に鑑みてなされたもので、温水洗浄器本体と取付ベースのロック状態を解除するロックレバーの操作性を簡単にした温水洗浄便座を提供することを目的とする。
【０００９】
【課題を解決するための手段】
本発明は、便器の上に固定される取付部材と、便器の上に載置される温水洗浄器本体と、前記取付部材と温水洗浄器本体とを係合し、係止可能とする係止手段と、前記取付部材と温水洗浄器本体との系止を解除する系止解除部材を備えた温水洗浄便座において、前記係止解除部材が前記温水洗浄器本体に取り付けられ、この係止解除部材の動作方向が、前記取付部材と温水洗浄器本体との係合あるいは係止を解除するのに必要な温水洗浄器本体の移動方向と概ね同じ方向であり、前記温水洗浄器本体と取付部材とを連結した連結部材であるスライダが、前記温水洗浄器本体と取付部材のそれぞれに対して、便器の前後方向に摺動可能に配置され、かつ、係合し、前記スライダーと温水洗浄器本体、及び、前記スライダーと取付部材との間には、抜け止め部が設けられたことを特徴とする温水洗浄便座である。
【００１０】
また、本発明は、上記において、スライダは、係合あるいは係止状態となる間、その前後部分が温水洗浄器本体に収納されるように便器後方へ移動し、係合あるいは係止状態で、前記温水洗浄器本体とスライダと取付部材は重なった状態となることを特徴とする温水洗浄便座である。
【００１２】
【発明の実施の形態】
取付部材(取付ベース2)と温水洗浄器本体1との係合あるいは係止を解除するのに必要な温水洗浄器本体1の移動方向は、便器8の前後方向、便器8の上面に対して垂直や斜め前方等の上方向、あるいは、温水洗浄器本体1や取付部材(取付ベース2)の一部分を軸とした回転方向が考えられる。
【００１３】
以下、本発明に係る温水洗浄便座の実施例について、図面を用いて説明する。
【００１４】
図１は、本発明の第一の実施例に係わる温水洗浄便座の本体が便器８に固定された状態を示す平面図で、本体と取付ベース２がロックされた状態を示す。図２は、本発明の第一の実施例に係わる温水洗浄便座の本体と取付ベース2とのロックを解除した状態を示す平面図、図３は、本発明の第一の実施例に係わる温水洗浄便座の本体が便器８から外された状態を示す平面図である。また、図１から図３は、便座，便ふた等を省略し本体の下側を透視した図である。
【００１５】
図３において、取付ベース２は、便器８の後部上面に載置され、便器８に設けられた一対の穴に対向した位置に、便器８に固定するための固定ボルト６、6を挿入でき、かつ、前後方向にのびた長穴を有しており、この２本の固定ボルト６、6と図示しないナットにより便器８に固定されている。また、取付ベース２のほぼ両側には突起部２１及び２２が設けられている。温水洗浄器本体１は図示しないが上記取付ベース２と係合可能な構造を有し、ロックバー４とロック解除レバー３が配置されている。このロックバー４は便器8の前後方向とは垂直である左右方向に摺動可能で、スプリング７により左方向に付勢されている。また、ロックバー４は、前記取付ベース２に設けられている突起部２１及び２２に対向する位置にそれぞれ係合部４１及び４２を備えている。前記ロック解除レバー３は、温水洗浄器本体１に立設された軸１３に回動可能に取り付けられており、その片端３２は前記ロックバー４と回動可能な状態で係合している。また、他の端部３１は人の手によって操作される操作部で、温水洗浄器本体１の右側端の付近まで伸びている。
【００１６】
以上の構成により、温水洗浄器本体１は、固定ボルト６、６を外すことなく便器８に対して、着脱可能となっている。
【００１７】
次に、動作について説明する。前記温水洗浄器本体１を図３の状態から便器後方へ移動させていくと、温水洗浄器本体１と取付ベース２が係合し始める。さらに便器後方へ押し込むと、温水洗浄器本体１に配置されたロックバー４の係合部４１及び４２が、前記取付ベース２に設けられた突起部２１及び２２の作用を受け、ロックバー４が右方向へ移動する。そして、温水洗浄器本体１が、取付ベース２の突起部２１及び２２とロックバー４の係合部４１及び４２が係合完了する位置まで移動すると、ロックバー４がスプリング７により左方向に移動し、図１で示すように温水洗浄器本体１と取付ベース２とがロック状態となる。すなわち、温水洗浄器本体１が便器８に固定された状態となる。
【００１８】
反対に、取付ベース２と温水洗浄器本体１のロック状態を解除し、温水洗浄器本体１を便器８から取り外すには、図２の示すように、まず、温水洗浄器本体１の右端付近まで伸びたロック解除レバー３の端部３１を手前方向に引く。すると、温水洗浄器本体１に立設された軸１３を中心に解除レバー３が右回転方向に回動し、その片端３２とロックバー４の係合部も同じ方向に回動する。ロックバー４は左右方向に摺動可能であるから、スプリング７の付勢に逆らって付勢方向とは反対の右方向に移動する。これにより、ロックバー４の係合部４１及び４２と、取付ベース２の突起部２１及び２２の係合が外れ始める。次に、解除レバー３の端部３１を手前に引きながら、ロックバー４の係合部４１及び４２と、取付ベース２の突起部２１及び２２との係合が完全に外れる位置まで温水洗浄器本体１を手前方向に移動させると温水洗浄器本体１と取付ベース２のロック状態が解除される。ここで、一般に温水洗浄器本体１を手前方向に移動させるには、温水洗浄器本体１の左右両端を持つことが考えられる。本実施例において、人が便器手前にいる場合、解除レバー３の端部３１は温水洗浄器本体１の右端付近にあるので、右手で解除レバー３の端部３１を手前に引くことになり、右手は解除レバー３の操作部３１を手前に引く作業と温水洗浄器本体１を手前に移動させる作業の二つの作業をほぼ同時に行う必要がある。ただし、両方の作業と同じ手前方向に引くことであるので、簡単に作業できる。そして、さらに温水洗浄器本体１を手前方向に引くと温水洗浄器本体１は取付ベース２から取り外し可能となる。
【００１９】
以上が本発明の第一の実施例であるが、その他に、温水洗浄器本体１が便器８に載置した状態から移動可能とした場合も考えられる。
【００２０】
図４は、本発明の第二の実施例に係わる温水洗浄便座の本体が便器８に固定された状態を示す平面図で、本体と取付ベース２がロックされた状態を示す。図５は、本発明の第二の実施例に係わる温水洗浄便座の本体と取付ベース２とのロックを解除した状態を示す平面図、図６は、本発明の第二の実施例に係わる温水洗浄便座の本体が便器８上を移動した状態を示す平面図である。また、図４から図６は、便座，便ふた等を省略し本体の下側を透視した図である。
【００２１】
図６において、スライダ５は、図３で示した温水洗浄器本体１と取付ベース２とを連結した連結部材で、温水洗浄器本体１と取付ベース２のそれぞれに対して、便器８の前後方向に摺動可能に配置され、かつ、係合している。また、スライダ５と温水洗浄器本体１との間、及びスライダ５と取付ベース２との間にはそれぞれ異なる抜け止め部（図示省略）が設けてあり、スライダ５の摺動範囲を規制している。この摺動範囲により、温水洗浄器本体１が便器８に載置・固定した状態から移動できる範囲が決められる。
【００２２】
温水洗浄器本体１を図６の状態から便器後方へ移動させていくと、スライダ５はその前後部分が温水洗浄器本体１に収納されるように便器８後方へ移動する。また、温水洗浄器本体１と取付ベース２が係合し始める。さらに便器８後方へ押し込むと、温水洗浄器本体１に配置されたロックバー４の係合部４１及び４２が、前記取付ベース２に設けられた突起部２１及び２２の作用を受け、ロックバー４が右方向へ移動する。そして、温水洗浄器本体１が、取付ベース２の突起部２１及び２２とロックバー４の係合部４１及び４２が係合完了する位置まで移動すると、ロックバー４がスプリング７により左方向に移動し、図４で示すように温水洗浄器本体１と取付ベース２はロック状態となる。この間、スライダ５は、温水洗浄器本体１に収納され、温水洗浄器本体１とスライダ５と取付ベース２は重なった状態となり、温水洗浄器本体１が便器８に固定される。
【００２３】
反対に、取付ベース２と温水洗浄器本体１のロック状態を解除し、温水洗浄器本体１を便器８の載置・固定状態から手前に移動させるには、図５に示すように、まず、温水洗浄器本体１の右端付近まで伸びたロック解除レバー３の端部３１を手前方向に引く。すると、温水洗浄器本体１に立設された軸１３を中心にロック解除レバー３が右回転方向に回動し、その片端３２とロックバー４の係合部も同じ方向に回動する。ロックバー４は左右方向に摺動可能であるから、スプリング７の付勢に逆らって付勢方向とは反対の右方向に移動する。これにより、ロックバー４の係合部４１及び４２と、取付ベース２の突起部２１及び２２の係合が外れ始める。次に、ロック解除レバー３の端部３１を手前に引きながら、ロックバー４の係合部４１及び４２と、取付ベース２の突起部２１及び２２との係合が完全に外れる位置まで温水洗浄器本体１を手前方向に移動させると温水洗浄器本体１と取付ベース２のロック状態が解除される。これらの操作は、本発明の第一の実施例と同じである。さらに温水洗浄器本体１を手前方向に引くと温水洗浄器本体１は、スライダ５と温水洗浄器本体１との間、及びスライダ５と取付ベース２との間にそれぞれ設けられた抜け止め部により決められる移動可能範囲の端の位置まで移動し、移動が完了する。
【００２４】
【発明の効果】
以上説明した通り、本体が便器に載置した状態から移動可能とし、便器の上面に固定される取付ベースと温水洗浄器本体とを係合しロックできる構成とした温水洗浄便座において、この係合あるいはロックを解除させるのに必要な温水洗浄器本体の移動方向に対して、ロック状態を解除させるロック解除レバーの操作部（端部）が概ね同じ方向に移動可能に取り付けたことにより、このロック状態からロックを解除する場合、ロック解除レバーの操作部（端部）を前記温水洗浄器本体の動作移動方向と同じ方向に動かすだけでロックを外すことができる。すなわち、温水洗浄器本体とロック解除レバーの動作方向をほぼ同一方向にしたことにより、前記ロックを解除する時のロック解除レバーの操作性が簡単になり、使い勝手が向上する。
【図面の簡単な説明】
【図１】本発明の第一の実施例に係わる温水洗浄便座の本体が便器に固定された状態を示す平面図。
【図２】本発明の第一の実施例に係わる温水洗浄便座の本体と取付ベースとのロックを解除した状態を示す平面図。
【図３】本発明の第一の実施例に係わる温水洗浄便座の本体が便器から外された状態を示す平面図。
【図４】本発明の第二の実施例に係わる温水洗浄便座の本体が便器に固定された状態を示す平面図。
【図５】本発明の第二の実施例に係わる温水洗浄便座の本体と取付ベースとのロックを解除した状態を示す平面図。
【図６】本発明の第二の実施例に係わる温水洗浄便座の本体が便器上を移動した状態を示す平面図。
【図７】本体が着脱可能な従来の温水洗浄便座の本体と取付ベースを示す平面図。
【符号の説明】
１…温水洗浄器本体、２…取付ベース、３…ロック解除レバー、４…ロックバー、５…スライダ、６…固定ボルト、７…スプリング、８…便器、９…ロックレバー、１０…引っ張りスプリング、１１及び１２…突起部、１３…軸、２１及び２２…突起部、３１…端部、 ３２…片部、４１及び４２…係合部、９１及び９２…係合部。
【図１】
0004055027.tif 000002
【図２】
0004055027.tif 000003
【図３】
0004055027.tif 000004
【図４】
0004055027.tif 000005
【図５】
0004055027.tif 000006
【図６】
0004055027.tif 000007
【図７】
0004055027.tif 000008